(57)【要約】【課題】より大型のコンクリート構造部材を容易に切断可能な切断装置を提供する。【解決手段】本発明に係る切断装置４Ａは、コンクリート構造部材Ｃの幅寸法Ｗより広い間隔をあけて配置された一対の推進プーリー７Ａ，７Ｂと、一対の推進プーリー７Ａ，７Ｂの間に配された中継プーリー２０と、一方の推進プーリー７Ａから中継プーリー２０を介して他方の推進プーリー７Ｂまで巻装されたワイヤーソー５と、ワイヤーソー５を循環駆動させるワイヤーソー駆動部６と、一対の推進プーリー７Ａ，７Ｂと中継プーリー２０とを独立にコンクリート構造部材Ｃに対して近接離反する方向に推進させるプーリー推進部１１と、を備えている。【選択図】図１
2017214711.tif 000002
【特許請求の範囲】
【請求項１】
被切断物の幅寸法より広い間隔をあけて配置された一対の推進プーリーと、
前記一対の推進プーリーの間に配された中継プーリーと、
一方の前記推進プーリーから前記中継プーリーを介して他方の前記推進プーリーまで巻装されたワイヤーソーと、
前記ワイヤーソーを循環駆動させるワイヤーソー駆動部と、
前記一対の推進プーリーと前記中継プーリーとを独立に前記被切断物に対して近接離反する方向に推進させるプーリー推進部と、を備えていることを特徴とする切断装置。
【請求項２】
被切断物の幅寸法より広い間隔をあけて配置された一対の推進プーリーと、
前記一対の推進プーリーの間に配され、且つ前記被切断物の幅方向に直交する方向に位置をずらして二つ設けられた中継プーリーと、
一方の前記推進プーリーと一方の前記中継プーリーとの間、及び他方の前記推進プーリーと他方の前記中継プーリーとの間に巻装されたワイヤーソーと、
前記ワイヤーソーを循環駆動させるワイヤーソー駆動部と、
前記一対の推進プーリーと前記中継プーリーとを独立に前記被切断物に対して近接離反する方向に推進させるプーリー推進部と、を備えていることを特徴とする切断装置。
【請求項３】
前記被切断物の幅方向に直交する方向に位置をずらして二つ配置された前記中継プーリーが二組以上設けられていることを特徴とする請求項２に記載の切断装置。
【請求項４】
請求項１から請求項３の何れか一項に記載の切断装置が揺動アームの先端部に装着されていることを特徴とする解体装置。
【発明の詳細な説明】
【技術分野】
【０００１】
本発明は、鉄筋コンクリート造や鉄骨鉄筋コンクリート造の構造物の解体に際して、コンクリート構造部材を切断するために用いて好適な切断装置及び解体装置に関する。
【背景技術】
【０００２】
鉄筋コンクリート造（以下、ＲＣ造とする）や鉄骨鉄筋コンクリート造（以下、ＳＲＣ造とする）の構造物に用いられているマットスラブや耐圧盤、及び大型の地中梁等のコンクリート構造部材の解体の際に、破砕機による破壊工法が採用される場合がある。ところが、従来の破砕機による破壊工法では、解体対象物の幅が広くなると、作業時間が掛かり、またブレーカの使用等によって振動や粉じんの発生、及び騒音が大きいという状況があり、以前より、破砕機による破壊工法に代わる他の解体方法が求められていた。
【０００３】
上述の状況に対処し、ＲＣ造やＳＲＣ造の構造物に用いられる大型のコンクリート構造部材の切断及び解体方法の一つとして、押し切りワイヤーソーを活用した、クールカット工法（登録商標）或いは該クールカット工法に用いる切断装置が提案されている（例えば、特許文献１，２参照）。
【０００４】
特許文献１には、ベースマシンのアーム先端に支持され、反力受け装置が設けられたベースプレートと、ベースプレートに設けられた駆動源により回転駆動する推進プーリーと他のプーリーとの間にワイヤーソーが無端ループ状に掛け渡されたワイヤーソーユニットと、ワイヤーソーユニットのプーリーのうちの推進プーリーをワイヤーソーによる切断対象物の押し切り方向に移動可能な推進プーリー駆動手段と、を備えたコンクリート構造物切断装置（切断装置）が開示されている。特許文献１に記載の切断装置では、ベースマシンのアーム操作により、切断対象物に対して推進プーリーが一端を保持されたワイヤーソーの一部と反力受け装置の一部とを当接させるようにベースプレートの位置決めを行う。そして、推進プーリーの駆動によりワイヤーソーを各プーリーでガイドして回転させるとともに、推進プーリー駆動手段によって推進プーリーを切断対象物の押し切り方向に直動させることで、反力受け装置で保持された切断対象物を切断する。
【０００５】
また、特許文献２には、無端ループ状のワイヤーソーを推進プーリー及び一連のガイドプーリーに巻装して循環駆動しつつ切断対象物に対して押し付けることにより切断対象物を押し切り操作により切断するワイヤーソー機構を有し、ワイヤーソー機構をベースマシンの揺動アームの先端部に装着して揺動アームの操作によりワイヤーソー機構を切断作業位置に配置して切断作業を行う切断装置が開示されている。特許文献２に記載の切断装置では、ワイヤーソー機構は推進プーリー及び一連のガイドプーリーの全体がベースフレームに支持されて設置されている。また、ベースフレームが揺動アームの先端部に対してガイドフレームを介して装着されているとともに、ベースフレームが第１の進退駆動機構によってガイドフレームに対して進退可能に支持されている。さらに、ワイヤーソー機構におけるガイドプーリーのうち、切断対象物の両側に配置されて切断対象物に対してワイヤーソーを押圧していく対のガイドプーリーの少なくとも何れか一方もしくは双方が、第２の進退駆動機構によってベースフレームに対して進退可能な推進プーリーとして構成されている。
【先行技術文献】
【特許文献】
【０００６】
【特許文献１】特許第５７２５３４６号公報
【特許文献２】特開２０１４−６９５２９号公報
【発明の概要】
【発明が解決しようとする課題】
【０００７】
しかしながら、特許文献１，２に記載の切断装置では、押し切りワイヤーソーとして用いる場合、切断対象物の押し切り方向に進退する推進プーリー間の距離の限度を超える幅の広いコンクリート構造部材や奥行きのあるコンクリート構造部材に対応できないという問題があった。また、同切断装置では、引き切りワイヤーソーとして用いる場合、コンクリート構造部材の外周面を取り囲むようにワイヤーをコンクリート構造部材に掛ける必要があるが、マットスラブや大型の地中梁に対してこのような作業を行うのは実質的に不可能であるという問題があった。
【０００８】
本発明者は、従来の切断装置を押し切りワイヤーソーとして用いる場合、反力の支点となる推進プーリー同士の距離が格段に長くなると、ワイヤーの材質や張力、被切断物からの反力等の関係でワイヤーが撓み易くなることにより、ワイヤーソーとしての切断性能が失われる、或いはワイヤーソーが動作不能になることに着目した。そこで、推進プーリー間に推進中継プーリーを設け、推進プーリーと推進中継プーリーとの間にワイヤーを掛け渡し、プーリー間のワイヤー長をワイヤーの張りが良好な状態に保持される程度に抑えることで、ワイヤーソーの切断性能が良好に発揮されることを見出した。また、本発明者は、コンクリート構造部材に対して鉛直方向に延びるコア孔を形成し、このコア孔に中継プーリーを通すことで、ワイヤーソーをいつでも下向きに進めることができることを見出し、本発明を完成させるに至った。ワイヤーソーをいつでも下向きに進めることが可能になることで、切断装置を引き切りワイヤーソーとして用いる必要性もなくなり、上述の問題が生じない。
【０００９】
即ち、本発明は、上述の事情に鑑みてなされたものであり、より大型のコンクリート構造部材を容易に切断可能な切断装置及び解体装置を提供する。
【課題を解決するための手段】
【００１０】
請求項１記載の切断装置は、被切断物の幅寸法より広い間隔をあけて配置された一対の推進プーリーと、前記一対の推進プーリーの間に配された中継プーリーと、一方の前記推進プーリーから前記中継プーリーを介して他方の前記推進プーリーまで巻装されたワイヤーソーと、前記ワイヤーソーを循環駆動させるワイヤーソー駆動部と、前記一対の推進プーリーと前記中継プーリーとを独立に前記被切断物に対して近接離反する方向に推進させるプーリー推進部と、を備えていることを特徴とする。
【００１１】
上述の構成によれば、被切断物の幅方向に所定の間隔でコア孔を設け、ワイヤーソー駆動部によってワイヤーソーを循環駆動させながら、プーリー推進部によって一対の推進プーリーと中継プーリーとをそれぞれ被切断物に対して近接離反する方向に推進させ、中継プーリーを被切断物のコア孔に通すことで、一対の推進プーリー下部に巻き渡されているワイヤーソーの張りが保持され、ワイヤーソーの切断性能が良好に発揮される。これにより、被切断物の外周面を取り囲むようにワイヤーをコンクリート構造部材に掛ける必要もなく、ワイヤーソーをいつでも下向きに推進させることができ、被切断物が大型のコンクリート構造部材であっても容易に押し切り切断可能になる。
【００１２】
請求項２記載の切断装置では、被切断物の幅寸法より広い間隔をあけて配置された一対の推進プーリーと、前記一対の推進プーリーの間に配され、且つ前記被切断物の幅方向に直交する方向に位置をずらして二つ設けられた中継プーリーと、一方の前記推進プーリーと一方の前記中継プーリーとの間、及び他方の前記推進プーリーと他方の前記中継プーリーとの間に巻装されたワイヤーソーと、前記ワイヤーソーを循環駆動させるワイヤーソー駆動部と、前記一対の推進プーリーと前記中継プーリーとを独立に前記被切断物に対して近接離反する方向に推進させるプーリー推進部と、を備えていることが好ましい。
【００１３】
上述の構成によれば、被切断物の幅方向に所定の間隔でコア孔を設け、ワイヤーソー駆動部によってワイヤーソーを循環駆動させながら、プーリー推進部によって一対の推進プーリーの一方又は他方と中継プーリーとをそれぞれ被切断物に対して近接離反する方向に推進させ、中継プーリーを被切断物のコア孔に通すことで、一方の推進プーリーと一方の中継プーリーとの間、及び他方の推進プーリーと他方の中継プーリーとの間に巻装されたワイヤーソーの張りが保持され、ワイヤーソーの切断性能が良好に発揮される。これにより、上述の切断装置と同様に、ワイヤーをコンクリート構造部材に掛ける必要もなく、ワイヤーソーをいつでも下向きに推進させることができ、被切断物が大型のコンクリート構造部材であっても容易に押し切り切断可能になる。
【００１４】
請求項３記載の切断装置では、請求項２記載の切断装置において、前記被切断物の幅方向に直交する方向に位置をずらして二つ配置された前記中継プーリーが二組以上設けられていることが好ましい。
【００１５】
上述の構成によれば、被切断物の幅寸法がより大きく、一対の推進プーリー同士の間隔がより拡がった場合でも、中継プーリーが二組以上設けられていることで被切断物の幅方向においてワイヤーソーが巻装されている距離が適度に抑えられ、ワイヤーソーの張りが良好に保持される。
【００１６】
請求項４記載の解体装置は、請求項１から請求項３の何れか一項に記載の切断装置が揺動アームの先端部に装着されていることを特徴とする。
【００１７】
上述の構成によれば、揺動アームを用いて切断装置全体を被切断物の位置や配置に合わせて移動させることができる。
【発明の効果】
【００１８】
本発明の切断装置及び解体装置によれば、幅の広いコンクリート構造部材であっても容易に切断することができる。
【図面の簡単な説明】
【００１９】
【図１】本発明を適用した第一実施形態の切断装置の要部を側方から見た部分断面図である。
【図２】図１に示す切断装置を用いてコンクリート構造部材を切断する方法を説明するための図であって、（ａ）は中継プーリー及び推進プーリーの一方を下降させる様子を側方から見た部分断面図であり、（ｂ）は推進プーリーの他方を下降させる様子を側方から見た部分断面図であり、（ｃ）は中継プーリー及び推進プーリーを下降させた状態を側方から見た部分断面図である。
【図３】本発明を適用した第二実施形態の切断装置の要部を側方から見た部分断面図である。
【図４】本発明を適用した第二実施形態の切断装置の要部を上方から見た部分断面図である。
【発明を実施するための形態】
【００２０】
以下、本発明を適用した切断装置及び解体装置の実施形態について、図面を参照して説明する。なお、以下の説明で用いる図面は模式的なものであり、長さ、幅及び厚みの比率等は実際のものと同一とは限らず、適宜変更することができる。
【００２１】
本発明を適用した実施形態の切断装置及び該切断装置を備えた解体装置は、地中面に設けられたマットスラブや大型の地中梁のように例えば１３００ｍｍを超えるような幅寸法や奥行きを有するコンクリート構造部材（被切断物）Ｃを切断するための装置である。
切断装置は、解体装置のベースマシンの揺動アーム（図示略）の先端部に装着されている。切断装置は、解体装置の揺動アームの操作によって、切断作業位置に配置可能に構成されている。ベースマシンは、特に限定されず、揺動アームを備えたものであれば各種の重機を採用可能であるが、特に汎用の油圧ショベルが好適である。
【００２２】
解体装置における前述の揺動アームの先端部には、ブラケット等を介してガイドフレーム３（図１参照）が設けられている。ガイドフレーム３は、コンクリート構造部材Ｃに対して近接離間可能に構成され、切断装置４が切断作業位置に配置された際に、コンクリート構造部材Ｃの切断が開始される表面に当接するようになっている。
【００２３】
（第一実施形態）
図１に示すように、第一実施形態の切断装置４Ａは、被切断物の幅寸法Ｗより広い間隔をあけて配置された一対の推進プーリー７Ａ，７Ｂと、一対の推進プーリー７Ａ，７Ｂの間に配された中継プーリー２０と、一方の推進プーリー７Ａから中継プーリー２０を介して他方の推進プーリー７Ｂまで巻装されたワイヤーソー５と、ワイヤーソー５を循環駆動させるワイヤーソー駆動部６と、一対の推進プーリー７Ａ，７Ｂと中継プーリー２０とを独立にコンクリート構造部材（被切断物）Ｃの高さ方向に推進させるプーリー推進部１１と、を備えている。
コンクリート構造部材Ｃは、地中面Ｇに設けられている。
【００２４】
図１には切断装置４Ａの要部を示しているが、推進プーリー７Ａ，７Ｂ、中継プーリー２０及びワイヤーソー駆動部６が、全体としてワイヤーソー５の循環軌道に略沿うような三方枠上に配置されている。
【００２５】
第一実施形態では、ワイヤーソー５は無端ループ状とされており、推進プーリー７Ａ，７Ｂ、中継プーリー２０及び各種機能を担うプーリー等に巻装されている。ワイヤーソー駆動部６が駆動することによって、ワイヤーソー５は循環駆動する。ワイヤーソー駆動部６としては、例えばモータを用いて回転駆動可能な駆動プーリーを採用可能である。ワイヤーソー５は、ワイヤーソー駆動部６と、ワイヤーソー駆動部６と推進プーリー７Ａ，７Ｂの各々との間に配置されているプーリー１６にも巻装されている。
【００２６】
プーリー推進部１１は、推進プーリー７Ａに接続された電動シリンダ９Ａと、推進プーリー７Ｂに接続された電動シリンダ９Ｂと、中継プーリー２０に接続された電動シリンダ１０で構成されている。なお、プーリー推進部１１の構成及び配置は、一対の推進プーリー７Ａ，７Ｂや中継プーリー２０を個別に、少なくとも鉛直方向Ｄ３又はその反対方向に移動させることができれば、特に限定されない。プーリー推進部１１としては、例えば、油圧ないし空気圧シリンダ機構電動の他に、油圧による各種のモータ、アクチュエータを駆動源とする送りねじ機構やラックピニオン機構、チェーン等が挙げられる。また、切断が開始される側のコンクリート構造部材Ｃの表面に当接することで安定して支持される観点から、プーリー推進部１１はガイドフレーム３に併設されていることが好ましい。
【００２７】
切断装置４Ａ及び切断装置４Ａを備えた解体装置を用いてコンクリート構造部材Ｃを切断する際には、先ず、コンクリート構造部材Ｃの幅方向（即ち、図１に示す幅方向Ｄ１）に、コア孔Ｈを形成する。
その後、解体装置の揺動アームの操作によって切断装置４Ａをガイドフレーム３の基端側（揺動アーム側）に配置し、かつガイドフレーム３の先端をコンクリート構造部材Ｃに当接させ、ワイヤーソー５を切断開始の位置に臨ませる。この際、中継プーリー２０の位置をコンクリート構造部材Ｃのコア孔Ｈに合わせる。
【００２８】
次に、ワイヤーソー駆動部６によってワイヤーソー５の回転駆動を開始し、プーリー推進部１１の電動シリンダ１０によって、図２（ａ）に示すように中継プーリー２０を最初に下降させ、コア孔Ｈ内に挿入する。ワイヤーソー５の張りを保ちながら、中継プーリー２０を所定の深さまで進めたら、プーリー推進部１１の電動シリンダ９Ｂによって、推進プーリー７Ｂを中継プーリー２０のやや上方まで移動させる。
なお、図２（ａ），（ｂ），（ｃ）では、ワイヤーソー駆動部６及びプーリー推進部１１の図示を省略する。
【００２９】
続いて、プーリー推進部１１の電動シリンダ９Ａによって、図２（ｂ），（ｃ）に示すように推進プーリー７Ａを推進プーリー７Ｂと略同じ高さ（即ち、中継プーリー２０のやや上方）まで移動させる。なお、ワイヤーソー５の張りを保ち、コンクリート構造部材Ｃからの反力によってワイヤーソー５が弛むのを防ぐ観点から、切断開始後は中継プーリー２０が推進プーリー７Ａ，７Ｂよりも先行して推進され、且つ中継プーリー２０が推進プーリー７Ａ，７Ｂよりも下方に位置していることが好ましく、そうであれば推進プーリー７Ａ，７Ｂの推進順序は問わず、同時でも構わない。
【００３０】
上述のように、中継プーリー２０の下降、推進プーリー７Ａ，７Ｂの下降を順次繰り返し、中継プーリー２０と推進プーリー７Ａ，７Ｂをそれぞれコア孔Ｈとコンクリート構造部材Ｃの幅方向Ｄ１側方を通過させることで、コンクリート構造部材Ｃが押し切り切断される。
【００３１】
以上説明したように、第一実施形態の切断装置４Ａによれば、コンクリート構造部材Ｃの幅方向Ｄ１に所定の間隔でコア孔Ｈを設け、ワイヤーソー駆動部６によってワイヤーソー５を循環駆動させながら、プーリー推進部１１によって中継プーリー２０をコンクリート構造部材Ｃのコア孔Ｈに通すと共に、中継プーリー２０を推進プーリー７Ａ，７Ｂよりも下方に位置させた状態で推進プーリー７Ａ，７Ｂと中継プーリー２０とをそれぞれコンクリート構造部材Ｃの高さ方向（即ち、鉛直方向Ｄ３）に推進させることができる。これにより、推進プーリー７Ａ，７Ｂの下部に巻き渡されているワイヤーソー５を中継プーリー２０によって中継し、ワイヤーソー５の張りを良好に且つ確実に保持することができる。従って、ワイヤーソー５の切断性能を良好に発揮させ、ワイヤーソー５をいつでも鉛直方向Ｄ３に推進させることができ、コンクリート構造部材Ｃの外周面を取り囲むようにワイヤーソー５をコンクリート構造部材Ｃに掛ける必要もなく、大型のコンクリート構造部材Ｃを容易に押し切り切断することができる。
【００３２】
（第二実施形態）
次いで、本発明を適用した第二実施形態の切断装置４Ｂについて、図３を参照し、説明する。なお、図３に示す切断装置４Ｂの構成要素において、上述説明した切断装置４Ａと同一の構成要素については同一の符号を付し、その説明を省略する。
【００３３】
第二実施形態の切断装置４Ｂでは、中継プーリー２０が一対の推進プーリー７Ａ，７Ｂの間に配され、且つコンクリート構造部材Ｃの奥行き方向（被切断物の幅方向に直交する方向）Ｄ２に位置をずらして二つ設けられた中継プーリー２０Ｘ，２０Ｙによって構成されている。なお、図３では、二つの中継プーリー２０Ｘ，２０Ｙを分かりやすく示すために、コンクリート構造部材Ｃの幅方向Ｄ１において中継プーリー２０Ｘ，２０Ｙの位置が互いにずれているが、図４に示すようにコンクリート構造部材Ｃの奥行き方向Ｄ２において中継プーリー２０Ｘ，２０Ｙの位置は重なっている。なお、奥行き方向Ｄ２における中継プーリー２０Ｘ，２０Ｙの位置をわかりやすく示すため、図４では、ワイヤーソー駆動部６及びプーリー推進部１１の図示を省略する。
【００３４】
また、第二実施形態の切断装置４Ｂでは、ワイヤーソー５は、コンクリート構造部材Ｃの幅方向Ｄ１において二つのワイヤーソー５Ａ，５Ｂによって構成されている。図３に示すように、第二実施形態の切断装置４Ｂでは、ワイヤーソー駆動部６は、二つのワイヤーソー５Ａ，５Ｂに対して個別に設けられ、駆動プーリー６Ａ，６Ｂで構成されている。ワイヤーソー５Ａは、無端ループ状とされ、推進プーリー７Ａと中継プーリー２０Ｘと駆動プーリー６Ａとプーリー１６との間に巻装されている。ワイヤーソー５Ｂも無端ループ状とされ、中継プーリー２０Ｙと推進プーリー７Ｂと駆動プーリー６Ｂとプーリー１６との間に巻装されている。なお、ワイヤーソー駆動部６は、二つのワイヤーソー５Ａ，５Ｂを独立に駆動可能な単体として設けられていてもよい。
【００３５】
また、第二実施形態の切断装置４Ｂでは、プーリー推進部１１は、推進プーリー７Ａに接続された電動シリンダ９Ａと、中継プーリー２０Ｘに接続された電動シリンダ１０Ｘと、中継プーリー２０Ｙに接続された電動シリンダ１０Ｙと、推進プーリー７Ｂに接続された電動シリンダ９Ｂで構成されている。なお、プーリー推進部１１は、二組のプーリーを独立に推進可能な単体として設けられていてもよい。
【００３６】
切断装置４Ｂ及び切断装置４Ｂを備えた解体装置を用いてコンクリート構造部材Ｃを切断する際には、中継プーリー２０の位置をコンクリート構造部材Ｃのコア孔Ｈに合わせるところまで、切断装置４Ａによるコンクリート構造部材Ｃの切断時と同様の工程を行う。
その後、二つのワイヤーソー５Ａ，５Ｂを各々回転駆動させ、推進プーリー７Ａ及び中継プーリー２０Ｘと、中継プーリー２０Ｙ及び推進プーリー７Ｂとの各組のプーリーを適宜下降させる。中継プーリー２０Ｘ，２０Ｙはコア孔Ｈ内に挿入する。
【００３７】
上述のように、各組のプーリーを下降させ、推進プーリー７Ａ，７Ｂと中継プーリー２０Ｘ，２０Ｙとをそれぞれコンクリート構造部材Ｃの幅方向Ｄ１側方やコア孔Ｈを通過させることで、コンクリート構造部材Ｃが押し切り切断される。
【００３８】
以上説明したように、第二実施形態の切断装置４Ｂによれば、コンクリート構造部材Ｃの幅方向Ｄ１に所定の間隔でコア孔Ｈを設け、ワイヤーソー駆動部６によってワイヤーソー５Ａ，５Ｂを各々循環駆動させながら、プーリー推進部１１によって中継プーリー２０Ｘ，２０Ｙをコンクリート構造部材Ｃのコア孔Ｈに通すと共に、推進プーリー７Ａ及び中継プーリー２０Ｘと、中継プーリー２０Ｙ及び推進プーリー７Ｂとの各組のプーリーをそれぞれコンクリート構造部材Ｃの高さ方向（即ち、鉛直方向Ｄ３）に推進させることができる。これにより、各組のプーリー巻装されているワイヤーソー５Ａ，５Ｂの張りを良好に且つ確実に保持することができる。従って、ワイヤーソー５Ａ，５Ｂの切断性能を良好に発揮させ、ワイヤーソー５Ａ，５Ｂをいつでも鉛直方向Ｄ３に推進させることができ、コンクリート構造部材Ｃの外周面を取り囲むようにワイヤーソー５をコンクリート構造部材Ｃに掛ける必要もなく、大型のコンクリート構造部材Ｃを容易に押し切り切断することができる。
【００３９】
また、第一実施形態の切断装置４Ａや第二実施形態の切断装置４Ｂを備えた解体装置によれば、揺動アームを用いて切断装置４Ａ，４Ｂ全体をコンクリート構造部材Ｃの位置や配置、形状等に合わせて移動させ、大型のコンクリート構造部材Ｃの押し切り切断作業を円滑に進めることができる。
【００４０】
以上、本発明の好ましい実施形態について詳述したが、本発明は係る特定の実施形態に限定されるものではなく、特許請求の範囲内に記載された本発明の要旨の範囲内において、種々の変更が可能である。
【００４１】
例えば、切断装置４Ａとして一対の推進プーリー７Ａ，７Ｂの間に中継プーリー２０が一つ設けられている構成を図示等により説明したが、このように一つの中継プーリー２０のみを用いた際に、推進プーリー７Ａ，７Ｂのそれぞれと中継プーリー２０との間隔が１０００ｍｍよりはるかに大きくなる場合やワイヤーソー５の張りを保持することが難しい場合には、推進プーリー７Ａ，７Ｂの間に中継プーリー２０を複数設けることができる。即ち、ワイヤーソー５の張りを良好に保持できれば、コンクリート構造部材Ｃの幅方向Ｄ１における各プーリー同士の間隔や中継プーリー２０の数は特に限定されない。
【００４２】
また、上述説明した切断装置４Ｂにおいても、推進プーリー７Ａ及び中継プーリー２０Ｘ間のワイヤーソー５Ａと、中継プーリー２０Ｙ及び推進プーリー７Ｂ間のワイヤーソー５Ｂの張りを良好に保持できれば、コンクリート構造部材Ｃの幅方向Ｄ１における各プーリー同士の間隔や中継プーリー２０Ｘ，２０Ｙの組数は特に限定されない。即ち、ワイヤーソー５の張りを良好に保持できれば、コンクリート構造部材Ｃの幅方向Ｄ１における各プーリー同士の間隔や中継プーリー２０Ｘ，２０Ｙの数、ワイヤーソー５の数は特に限定されない。コンクリート構造部材Ｃの幅方向Ｄ１に直交する方向に位置をずらして二つ配置された中継プーリー２０Ｘ，２０Ｙが二組以上設けられていてもよく、それにより、
コンクリート構造部材Ｃの幅寸法Ｗがより大きい場合や、一対の推進プーリー７Ａ，７Ｂ同士の間隔がより拡がった場合でも、コンクリート構造部材Ｃの幅方向Ｄ１においてワイヤーソー５が巻装されている距離が適度に抑えられ、ワイヤーソー５の張りが良好に保持される。
【符号の説明】
【００４３】
４，４Ａ，４Ｂ  切断装置
５，５Ａ，５Ｂ  ワイヤーソー
６  ワイヤーソー駆動部
７Ａ，７Ｂ  推進プーリー
１１  プーリー推進部
２０，２０Ｘ，２０Ｙ  中継プーリー
Ｃ  コンクリート構造部材（被切断物）
【図１】
2017214711.tif 000003
【図２】
2017214711.tif 000004
【図３】
2017214711.tif 000005
【図４】
2017214711.tif 000006